(57)【要約】【課題】多様な災害に対応可能であって低コストに建築可能なシェルター付きの戸建て住宅を提供する。【解決手段】戸建て住宅を、地上階に設けられた、壁及び天井が鉄筋コンクリート造の避難部屋１０と、避難部屋１０の上階に設けられた木造の居住部４０とを備えたものとする。このように、避難部屋１０（シェルター）を鉄筋コンクリートで構成することによって、避難部屋１０の耐震性及び耐火性を確保すると共に、居住部４０を木造としたことにより、住宅全体を鉄筋コンクリートで構成した場合に比べて建築コストを抑えることができる。また、避難部屋１０は地上階に設けられ、居住部４０はその上に設けられているため、洪水発生時にも避難部屋１０が浸水・水没するのを防ぐことができると共に、居住部４０内の家財を浸水から守ることができる。【選択図】図１
2019214864.tif 000002
【特許請求の範囲】
【請求項１】
a)地上階に設けられた、壁及び天井が鉄筋コンクリート造の避難部屋と、
b)前記避難部屋の上階に設けられ、少なくともその一部が前記避難部屋の直上に位置する木造の居住部と、
を有することを特徴とする戸建て住宅。
【請求項２】
更に、
c)前記避難部屋と前記居住部との境界に形成された避難部屋出入口、
を有することを特徴とする請求項１に記載の戸建て住宅。
【請求項３】
更に、
d)前記避難部屋の壁に形成された脱出口と、
e)前記脱出口を閉鎖する閉鎖手段と、
を有することを特徴とする請求項１又は２に記載の戸建て住宅。
【請求項４】
更に、
f)前記避難部屋に隣接して設けられた、壁及び天井が鉄筋コンクリート造の車庫、
を有し、
前記脱出口が、前記避難部屋と前記車庫との境界に設けられていることを特徴とする請求項３に記載の戸建て住宅。
【請求項５】
前記避難部屋の壁が、住宅基礎の鉛直立ち上がり部の上に、該鉛直立ち上がり部と一体に構成されていることを特徴とする請求項１〜４のいずれかに記載の戸建て住宅。
【請求項６】
更に、
g)地中に埋設された鉄筋コンクリート造の杭であって、その上端が住宅基礎の底面に結合されている複数本の基礎杭、
を有することを特徴とする請求項１〜５のいずれかに記載の戸建て住宅。
【請求項７】
更に、
h)前記地上階の床下に、清浄化された外気を取り込む外気取り込み手段と、
i)前記床下の空気を前記避難部屋又は前記居住部に送り込む送気手段と、
を有することを特徴とする請求項１〜６のいずれかに記載の戸建て住宅。
【発明の詳細な説明】
【技術分野】
【０００１】
本発明は、戸建て住宅に関し、特に、災害発生時に住人が逃げ込むための避難部屋（シェルター）を備えた戸建て住宅に関する。
【背景技術】
【０００２】
近年、大規模な風水害や、巨大地震、他国からの攻撃等への懸念から、家庭用の防災シェルターへの関心が高まっている。家庭用の防災シェルターとしては、高い剛性を有するカプセル状又は箱状の構造体から成るものが一般的である。例えば、非特許文献１には、前記構造体を地中に埋設するタイプのシェルターが記載されており、非特許文献２、３には、前記構造体を地上（屋内又は屋外）に設置するタイプのシェルターが記載されている。
【先行技術文献】
【特許文献】
【０００３】
【特許文献１】特開2014-012966号公報
【非特許文献】
【０００４】
【非特許文献１】"完全防水耐震地下シェルターＳＯＴＯＣＨＩＫＡ",[online],株式会社アースシフト[平成30年3月19日検索],インターネット<URL:http://www.earth-shift.co.jp/sotochika.html>
【非特許文献２】"木質耐震シェルター",[online],株式会社一条工務店,[平成30年3月19日検索],インターネット<URL:https://www.ichijo.co.jp/news/shelter/index.html>
【非特許文献３】"浮揚式津波洪水対策用シェルター SAFE+（セーフプラス）",[online],株式会社タジマモーターコーポレーション,[平成30年3月19日検索],インターネット<URL:http://www.tajima-motor.com/safeplus/shelter/sale_300.html>
【発明の概要】
【発明が解決しようとする課題】
【０００５】
しかしながら、地中に埋設するタイプのシェルターは、周囲が浸水した際には出入りが困難になるという問題がある。一方、地上に設置するタイプのシェルターは、一般的に、地震や津波を想定しており、火災や爆風に耐え得るものではなかった。
【０００６】
そこで例えば、鉄筋コンクリート造の住宅の一画に窓のない部屋を設け、そこをシェルターとすることも考えられる（例えば、特許文献１を参照）。しかしながら、鉄筋コンクリート住宅は木造住宅に比べて建築コストが嵩むという問題がある。
【０００７】
本発明は上記の点に鑑みたものであり、その目的とするところは、多様な災害に対応可能であり、なお且つ低コストに建築可能な、シェルター付きの戸建て住宅を提供することにある。
【課題を解決するための手段】
【０００８】
上記課題を解決するためになされた本発明に係る戸建て住宅は、
a)地上階に設けられた、壁及び天井が鉄筋コンクリート造の避難部屋と、
b)前記避難部屋の上階に設けられ、少なくともその一部が前記避難部屋の直上に位置する木造の居住部と、
を有することを特徴としている。
【０００９】
上記構成によれば、避難部屋（すなわちシェルター）を鉄筋コンクリートで構成することによって、避難部屋の耐震性及び耐火性を確保すると共に、居住部を木造としたことにより、住宅全体を鉄筋コンクリートで構成した場合に比べて建築コストを抑えることができる。また、避難部屋は地上に設けられているため、洪水発生時にも避難部屋が浸水・水没するのを防ぐことができる。更に、居住部が避難部屋の上に設けられているため、洪水発生時にも該居住部内の家財を浸水から守ることができる。
【００１０】
なお、前記避難部屋が住宅の延べ床面積に加算されないよう、該避難部屋内部の天井高さは1400mm以下とすることが望ましい。
【００１１】
また、本発明に係る戸建て住宅は、更に、地上階に設けられた玄関と、地上階と前記上階を繋ぐ階段とを備えたエントランスを有するものとすることが望ましい。前記エントランスは木造であっても鉄筋コンクリート造であってもよいが、建築コストの観点から木造とすることが望ましい。
【００１２】
上記本発明に係る戸建て住宅は、更に、
c)前記避難部屋と前記居住部との境界に形成された避難部屋出入口、
を有することが望ましい。
【００１３】
ここで、前記境界とは、避難部屋の天井及び居住部の床に相当する。このような構成により、避難部屋の上に設けられた居住部から、該避難部屋へと直接移動することができ、迅速な避難が可能となる。なお、前記避難部屋出入口には、固定式又は可搬式の梯子又は階段を設けることが望ましい。
【００１４】
上記本発明に係る戸建て住宅は、更に、
d)前記避難部屋の壁に形成された脱出口と、
e)前記脱出口を閉鎖する閉鎖手段と、
を有することが望ましい。
【００１５】
このような構成によれば、住人が避難部屋に避難した後に居住部が倒壊するなどして、前記避難部屋出入口が瓦礫で塞がれた場合でも、前記閉鎖手段を開く（又は破壊する）ことによって前記脱出口から避難部屋の外に脱出することができる。
【００１６】
上記本発明に係る戸建て住宅は、更に、
f)前記避難部屋に隣接して設けられた、壁及び天井が鉄筋コンクリート造の車庫、
を有し、前記脱出口が、前記避難部屋と前記車庫との境界に設けられていることを特徴とする。
【００１７】
このような構成によれば、前記脱出口の周囲が、鉄筋コンクリート造の車庫の天井と壁で囲まれることになるため、該脱出口が瓦礫で閉鎖されるのを防ぐことができる。
【００１８】
上記本発明に係る戸建て住宅は、前記避難部屋の壁が、住宅基礎の鉛直立ち上がり部の上に、該鉛直立ち上がり部と一体に構成されているものとすることが望ましい。
【００１９】
これにより、基礎の鉛直立ち上がり部と避難部屋の壁とを一度に構築することができるため、建築コストを一層抑えることができる。
【００２０】
上記本発明に係る戸建て住宅は、更に、
g)地中に埋設された鉄筋コンクリート造の杭であって、その上端が住宅基礎の底面に結合されている複数本の基礎杭、
を有することが望ましい。
【００２１】
前記基礎杭を設けることにより、地盤を強化することができると共に、該基礎杭を介して、地中と住宅基礎との間で熱交換を行うことができる。地中の温度は一年を通して変化が少ないため、前記熱交換によって、基礎上に設けられた避難部屋を快適な温度に維持することができる。
【００２２】
上記本発明に係る戸建て住宅は、更に、
h)前記地上階の床下に、清浄化された外気を取り込む外気取り込み手段と、
i)前記床下の空気を前記避難部屋又は前記居住部に送り込む送気手段と、
を有することが望ましい。
【００２３】
このような構成によれば、床下を換気して湿気の滞留を防ぐことができると共に、清浄な空気を前記避難部屋又は居住部に取り込むことができる。
【発明の効果】
【００２４】
以上で説明した通り、本発明に係る戸建て住宅は、地上階に鉄筋コンクリート造の避難部屋を有し、その上に木造の居住部を有する構造であるため、火災、地震、又は水害等の多様な災害に対応することができると共に、低コストに建築することができる。
【図面の簡単な説明】
【００２５】
【図１】本発明の一実施形態による戸建て住宅の間取り図であって、(a)は１階を、(b)は２階を、(c)は３階を示している。
【図２】前記戸建て住宅の外観及び地中の構造を示す正面図。
【図３】本発明に係る戸建て住宅の別の構成例を示す間取り図であって、(a)は１階を、(b)は２階を示している。
【発明を実施するための形態】
【００２６】
以下、本発明を実施するための形態について図面を参照しつつ説明する。図１は、本実施形態に係る戸建て住宅の間取り図であり、図２は該戸建て住宅の正面図である。
【００２７】
本実施形態に係る戸建て住宅は３階建てであり、その１階（地上階）には、シェルター１０（本発明における避難部屋に相当）、車庫２０、及びエントランス３０が設けられている（図１（ａ））。エントランス３０には、玄関土間３１、玄関ホール３２、収納３３、及び階段３４、が設けられている。
【００２８】
エントランス３０は木造であり、鉄筋コンクリート造の基礎６０（図２参照）の上に構築されている。シェルター１０及び車庫２０は、鉄筋コンクリートから成り、いずれもその壁面が、基礎６０の鉛直立ち上がり部と一体に構成されている。また、本実施形態における基礎６０はベタ基礎であり、その底板（地表に敷設された板状の鉄筋コンクリート）が、シェルター１０及び車庫２０の床面を兼ねるものとなっている。更に、シェルター１０及び車庫２０は、その天井も鉄筋コンクリートによって構成されている。なお、少なくともシェルター１０及び車庫２０の壁及び天井には、1000℃以上の高温に耐え得る耐火コンクリートを使用することが望ましい。
【００２９】
玄関土間３１、車庫２０、及びシェルター１０の床面の高さは地盤面とほぼ等しく、玄関ホール３２及び収納３３の床面の高さは、地盤面から450mmとなっている。また、玄関土間３１、玄関ホール３２、及び収納３３の天井高さは地盤面から2850mmであり、シェルター１０及び車庫２０の天井高さは地盤面から1400mmとなっている。
【００３０】
本実施形態に係る戸建て住宅の２階（図１（ｂ））及び３階（図１（ｃ））は、木造であり、いずれも居住スペースとなっている（以下、２階及び３階を併せて居住部４０とよぶ）。居住部４０の一部（シェルター１０及び車庫２０の直上に位置する領域）は、シェルター１０及び車庫２０によって支持されており、その他の領域は、鉄筋コンクリート造の柱５０によって支持された高床構造となっている。上述の通り、シェルター１０及び車庫２０の天井高さは地盤面から1400mmであり、１階の天井の厚みは約200mmであるため、２階の床面は地盤面から約1.6mの高さに位置することとなる。このため、洪水が発生した際にも居住部４０が浸水するのを防止することができる。
【００３１】
シェルター１０の直上に位置する居室（すなわちＬＤＫ４１）の一画には、シェルター１０への出入口１１が設けられている。この出入口１１は、ＬＤＫ４１の床及びシェルター１０の天井を貫通する開口であり、該開口にはＬＤＫ４１とシェルター１０の間を行き来するための梯子１２（又は階段）が配設されている。このように、ＬＤＫ４１から直接シェルター１０に出入りできるようにしたことにより、迅速な避難を可能とすることができる。なお、梯子１２又は階段は、可搬式のものとし、出入口１１には扉又は蓋を設けることが望ましい。これにより、平時には出入口１１を閉鎖しておくことができる。
【００３２】
更に、シェルター１０と車庫２０との間の壁には、人が出入り可能な大きさの開口である脱出口１３が設けられている。脱出口１３には、開閉可能な扉を設けてもよいが、不燃性且つ人力によって破壊可能な素材から成る開閉不能な蓋１４を固定しておくことが望ましい（これらの扉又は蓋が本発明における閉鎖手段に相当する）。この場合、平時には人が脱出口１３を通過することはできないが、例えば、住人が出入口１１からシェルター１０に避難した後、居住部４０の倒壊などによって出入口１１が瓦礫で塞がれた場合には、脱出口１３を閉鎖している蓋１４を打ち破る（又は蹴破る）ことによって、シェルター１０から脱出することができる。脱出口１３の周囲は、鉄筋コンクリート造の車庫２０の天井及び壁で囲まれているため、木造の居住部４０が倒壊した場合でも、脱出口１３が瓦礫で塞がれることはない。なお、前記不燃性且つ人力によって破壊可能な素材から成る蓋１４としては、例えば、硅酸カルシウム製のパネル等を用いることができる。
【００３３】
本実施形態に係る戸建て住宅を建築する際には、図２に示すように、予め地中に長さ４〜６ｍ、望ましくは５ｍ前後の鉄筋コンクリート造の基礎杭７０を複数本埋設することが望ましい。各基礎杭７０の上端は、鉄筋によって（すなわち基礎杭７０の内部に設けられた鉄筋を基礎６０内部の鉄筋と連結することによって）基礎６０の下面に接続される。このような基礎杭７０を設けることにより地盤を強化でき、更に、基礎杭７０を住宅と結合することによって、強風による住宅の横転倒壊を防止することもできる。また、基礎杭７０を介して地中と基礎６０との間で熱交換が行われる。一般的に、地中の温度は、夏期には地上よりも低く、冬期には地上よりも高いため、前記熱交換により、基礎６０の直上に設けられたシェルター１０の内部を快適温度に維持することができる。
【００３４】
更に、住宅の基礎６０には、その鉛直立ち上がり部の一部にフィルター（図示略）を備えた通気口（図示略）を形成すると共に、該通気口以外の部分を気密構造とし、基礎６０の内部（すなわち地上階の床下）に設置したファン（図示略）によって、前記通気口から外気を常時取り込むようにすることが望ましい。この場合、前記フィルター及びファンが本発明における外気取り込み手段に相当する。なお、床下に取り込まれた外気は、床下とＬＤＫ４１を繋ぐように配設された通気管（図示略。本発明における送気手段に相当）を介してＬＤＫ４１に圧送される。これにより、床下を常に換気できると共に、前記フィルターを通過して清浄化され、更に基礎内での熱交換によって適温に調節された空気をＬＤＫ４１に導入することができる。なお、前記床下とＬＤＫ４１を繋ぐ通気管に加えて又は代えて、床下とシェルター１０を繋ぐ通気管を設け、床下の空気をシェルター１０内に圧送するようにしてもよい。
【００３５】
以上、本発明を実施するための形態について具体例を挙げて説明を行ったが、本発明は上記実施形態に限定されるものではなく、本発明の趣旨の範囲で適宜変更が許容される。例えば、上記実施形態では、本発明に係る戸建て住宅を、地上階（シェルター１０を備えた階）の上に２階層から成る居住部４０を設けた３階建ての住宅としたが、これに限らず、例えば、地上階の上に１階層の居住部４０を設けた２階建ての住宅としてもよい。また、上記実施形態では、シェルター１０の壁を基礎６０の鉛直立ち上がり部と一体に構成したが、これに限らず、基礎６０上に、基礎６０とは別体に構成されたシェルター１０を配置した構成としてもよい。更に、上記実施形態では、基礎をベタ基礎とし、その底板がシェルターの床面になる（すなわちシェルター部分には床下空間がない）ものとしたが、これに限らず、基礎６０（ベタ基礎又は布基礎）の鉛直立ち上がり部の上に、シェルター１０の床を鉄筋コンクリートで構築した（すなわちシェルター１０部分にも床下空間が存在する）構成としてもよい。
【００３６】
また、図３に示すように、シェルター１０の直上に位置する居室（ＬＤＫ４１）の一画に２階と３階（図示略）とを繋ぐ階段４２を設け、この階段４２の下に、シェルター１０への出入口１１を配置するようにしてもよい。このとき、階段４２はスチール等の剛性の高い材料から成るものとする。これにより、地震等で居住部４０が倒壊した場合でも、瓦礫によって出入口１１が塞がれるのを防止することができる。
【符号の説明】
【００３７】
１０…シェルター
１１…出入口
１２…梯子
１３…脱出口
１４…蓋
２０…車庫
３０…エントランス
３１…玄関土間
３２…玄関ホール
３３…収納
３４…階段
４０…居住部
４１…ＬＤＫ
４２…階段
５０…柱
６０…基礎
７０…基礎杭
【図１】
2019214864.tif 000003
【図２】
2019214864.tif 000004
【図３】
2019214864.tif 000005